(57)【特許請求の範囲】
【請求項１】
外来電波を受信して復調するための受信復調手段（１）と、
上記受信復調手段（１）の受信周波数を自動的に変化させる受信周波数スキャン手段（３）と、
特定の低周波信号を発生させる信号発生手段（１０）と、
上記信号発生手段（１０）の出力信号を音響に変換するスピーカ（２）と、
上記受信復調手段（１）の復調信号が上記スピーカ（２）から発生される音響信号で変調された信号であるか否かについて判定する判定手段（９）とを備え、
上記判定手段は、上記受信復調手段（１）の復調信号の周波数と、上記信号発生手段（１０）の低周波信号の周波数とを比較して同一の周波数であるか否かについて判断し、かつ上記信号発生手段（１０）の低周波信号の出力をオンオフさせて上記受信復調手段（１）の復調信号の有無と、上記信号発生手段（１０）の低周波信号の有無とが同期しているか否かについて判断し、同一の周波数であって同期しているときに、上記受信復調手段（１）の復調信号が上記スピーカ（２）から発生される音響信号で変調された信号であると判断することを特徴とする受信機。
【発明の詳細な説明】
【０００１】
【発明の属する技術分野】
本発明は、従来から幅広い範囲に渡って電波を受信することが出来る受信機（通称広帯域受信機またはスキャナ）、または同様の広帯域受信機能を備えた通信機に関するものであり、特に盗聴器発見機能に関するものである。
【０００２】
【従来の技術】
近年、広帯域受信機は、無数の外来電波の中から必要とする周波数の電波を手軽に受信出来ることからその需要が広がってきている。
【０００３】
また、一方では盗聴器によるプライバシーの侵害が社会問題となるまでに拡大しており、盗聴器発見のために上記広帯域受信機が使用される場合も多くなっている。
【０００４】
以下、図面を参照しながら、上述した従来の受信機により盗聴器を発見する例について説明する。
図２は、従来の受信機の盗聴器発見機能のブロック図を示すものである。
【０００５】
図２において、５は受信アンテナで外来電波を捕捉する。１は受信復調回路で上記受信アンテナ５から入力された高周波信号を受信復調して可聴帯域の音声周波数に変換する。２はスピーカで、上記受信復調回路１の出力信号を音響に変換する。
【０００６】
３はＣＰＵで上記受信復調回路１の受信周波数を設定し、又は変更する。上記ＣＰＵ３が特定の周波数間隔で受信周波数を連続的に変化させることにより幅広い範囲で信号の有無を判別できる。これがいわゆるスキャン機能である。
【０００７】
８は盗聴器で、６はマイクロホン、７は送信アンテナである。盗聴器８は、マイクロホン６で周囲の音声を捕捉し、その音声信号を変調して送信アンテナ７から特定周波数の電波として送信するものである。
【０００８】
以上のように構成された受信機及び盗聴器発見方法について、以下その動作について説明する。
まず、受信アンテナ５により無数の高周波信号が受信復調回路１に入力される。受信復調回路１はＣＰＵ３により設定された受信周波数で受信動作を行う。この場合、受信復調回路１は設定された受信周波数での信号の有無をＣＰＵ３に伝達する。
【０００９】
ＣＰＵ３は受信信号無しの場合は受信復調回路１に別の周波数を設定する。また受信信号有りの場合はスキャン動作を一時停止し、その周波数での受信動作を継続する。
このようにして、受信機は幅広い周波数範囲に渡って外来電波の有無を判別することが出来るように機能する。
【００１１】
ここで、盗聴器８が作動中であるものとし、送信アンテナ７より盗聴電波が発射されていれば、上記した動作により、上記受信復調回路１の受信周波数が盗聴器８の送信周波数に一致したとき盗聴電波を受信し、盗聴器の存在を発見することが出来る。
【００１２】
【発明が解決しようとする課題】
しかしながら上記のような構成では、受信アンテナ５が捕捉する電波は盗聴器８の送信電波以外にも無数にあり、盗聴器８の送信電波以外の電波でも受信復調回路１は信号を検出してしまう。そのために、受信復調した信号が盗聴器によるものかそれ以外の外来電波によるものかの判別は、受信機の使用者の聴感に頼らなければならず、自動的に盗聴器の電波を判定することが出来ない。従って、盗聴器の発見には専門的な特殊技能を必要とし、一般人では簡単に発見できないという実状がある。そのために盗聴器によるプライバシーの侵害に脅え苦しんでいる被害者は、盗聴器発見の専門家に盗聴器の発見を依頼し、高額の発見費用を負担しなければならないという問題点を有していた。
【００１３】
本発明は上記問題点に鑑み、特定の低周波信号をスピーカから音響として発信し、受信回路の復調信号がスピーカから発信された信号と同じかどうかを判定することにより、極めて簡単な回路構成で確実に盗聴器の存在を検出することのできる受信機を提供するものである。
【００１４】
【課題を解決するための手段】
上記問題を解決するために本発明の受信機は、外来電波を受信して復調するための受信復調手段と、上記受信復調手段の受信周波数を自動的に変化させる受信周波数スキャン手段と、特定の低周波信号を発生させる信号発生手段と、上記信号発生手段の出力信号を音響に変換するスピーカと、上記受信復調手段の復調信号が上記スピーカから発生される音響信号で変調された信号であることを判定する手段とを備えたものである。
【００１５】
本発明は上記した構成によって、スピーカから特定の音響信号を発生させ、その音響信号を盗聴器のマイクロホンが捕捉して盗聴電波が送信されるので、受信復調信号がスピーカから発生される音響信号と同一であれば盗聴器による電波と断定できる。従って、極めて容易に盗聴器を発見できることとなる。
【００１６】
【発明の実施の形態】
以下、本発明の実施の形態について図面を参照しながら詳細に説明する。
図１において、図２と同一番号を付したものは動作においてまったく同一のため説明を省略する。
【００１７】
図１において１０は信号発生器で、可聴周波数の信号を発生しスピーカ２より音響信号を発生させる。９は判定器で、入力端子ａには受信復調回路１の受信復調信号が入力され、また入力端子ｂには上記信号発生器１０の発生信号が入力されている。判定機９は入力端子ａ、ｂの信号を比較し等しいかどうかを判定し、等しい場合には４のランプを点灯させる。
入力端子ａの信号が入力端子ｂの信号と同じかどうかを判定する手段としては、例えば次のような方法が実現可能である。
まず、両方の入力周波数をカウントして周波数を比較することにより、入力端子ａの信号が入力端子ｂの信号と同一かどうか判定できる。
また、信号発生器１０の出力をオンさせると入力端子ｂに信号が入力され、オフさせると入力端子ｂの信号が無くなる。このとき信号発生器のオンオフに同期して、入力端子ｂに信号があるとき入力端子ａにも信号があり、入力端子ｂに信号がないとき入力端子ａにも信号がないとすると、この時の復調信号は信号発生器１０から発生された信号が盗聴器により変調された信号と断定できる。
いずれの方法においても、受信復調回路１の復調信号が信号発生器１０によって発生されたものであるかを周知の技術により判定することができる。
【００１８】
以上のように構成された受信機について、以下図１を用いてその動作を説明する。
受信復調回路１が幅広い周波数範囲に渡って外来電波の有無を判別する動作は前述した従来例の動作と全く同じである。
【００１９】
次に、外来電波がある場合、その電波が近くの盗聴器から発射されたものであるかどうかを判別する場合について、図１を用いてその動作を説明する。
【００２０】
受信復調回路１が外来電波を受信した場合、ＣＰＵ３は、信号発生器１０を駆動しスピーカ２から特定の可聴周波数（ここでは仮に１ｋＨｚの信号とする）が音響信号となって発生する。次に、近くにある盗聴器８は常に周囲の音声をマイクロホン６によって捕捉し、その信号を変調して送信アンテナ７により空間へ電波として発射している。従って、マイクロホン６の周囲に１ｋＨｚの音響信号があれば、盗聴器８はこの１ｋＨｚの信号を捕捉し、変調して送信する。
【００２１】
盗聴器８の送信周波数は固定されているので、この周波数の電波を受信して復調すると、１ｋＨｚの信号が受信復調回路１より出力される。この信号は判定器９の入力端子ａに入力される。判定機９の入力端子ｂには同時に信号発生器１０の出力信号すなわち１ｋＨｚの信号が入力されているので、判定機９は入力端子ａ及びｂの周波数を比較し、同じであればランプ４が点灯する。
この場合、受信復調回路１の受信周波数は盗聴器８の送信周波数であると断定できる。
【００２２】
また判定機９が、入力端子ａと入力端子ｂの信号の周波数が違うと判定した場合には、この時の受信周波数は盗聴器８の送信周波数ではないということになり、ランプ４は点灯しない。
従って、判定器９が入力端子ａ及びｂの信号周波数を比較し、同一と判定してランプ４が点灯すればその時の受信電波は盗聴器８から発射された電波であり、ランプ４が点灯しなければ盗聴器以外の電波であるということが簡単に判別できることになる。
【００２３】
以上のように、外来電波を受信して復調するための受信復調手段と、上記受信復調手段の受信周波数を自動的に変化させる受信周波数スキャン手段と、特定の低周波信号を発生させる信号発生手段と、上記信号発生手段の出力信号を音響に変換するスピーカと、上記受信復調回路の復調信号が上記スピーカから発生される音響信号で変調されたことを判定する手段とを備えることにより、一般の人でも極めて容易に、しかも確実に盗聴器の存在を判別することが出来る。
【００２４】
なお、本発明の実施例では、判定器９及び信号発生器１０をそれぞれ独立した機能を有する手段としているが、判定機能と信号発生機能を備えたＣＰＵを用いても同様の効果を生じることは言うまでもない。
また、本発明の実施例では、判定器９は入力端子ａ及びｂの入力信号周波数を比較して同一信号か否かを判定しているが、信号発生器１０の信号をオンオフさせて入力端子ａの信号の有無と入力端子ｂの信号の有無が同期していれば同一信号と判定するという方法でも同様の効果を生じることは言うまでもない。
【発明の効果】
以上のように本発明によれば、外来電波を受信して復調するための受信復調手段と、上記受信復調手段の受信周波数を自動的に変化させる受信周波数スキャン手段と、特定の信号を発生させる信号発生手段と、上記信号発生手段の出力信号を音響に変換するスピーカと、上記受信復調回路の復調信号が上記スピーカから発生される音響信号で変調された信号であることを判定する手段とを備えることにより、一般の人でも極めて容易に確実に、しかも自動的に盗聴器の存在を判別できるので、盗聴器によるプライバシーの侵害、または盗聴器で盗聴されているのではないかという不安に脅え苦しむことなく、安心して日常生活を営むことが出来る。
【図面の簡単な説明】
【図１】本発明の実施例の受信機のブロック図である。
【図２】従来の受信機のブロック図である。
【符号の説明】
１  受信復調回路
２  スピーカ
３  ＣＰＵ（受信周波数スキャン手段）
９  判定器
１０  信号発生器
【図１】
0004094773.tif 000002
【図２】
0004094773.tif 000003